(57)【要約】  簡単な構成にも関らず、少ない回数で、大量の染毛料などを、大きな面積により塗布することが出来、被塗布部以外の手指などを汚染しにくく、カートリッジの交換も容易な毛髪用塗布具を提供する。  塗布液が含浸された塗布体を収容し、その塗布体が下方に突出するカートリッジ体を、下方へ伸び一連の櫛体が並立する本体の嵌着枠の上方に保持固定される構成の頭髪用塗布具とした。前記カートリッジ体は、上方から簡単に装着出来、弾発挟持部と嵌着枠の各部によって保持固定され、さらに簡単に外すことができる。
2009148106.tif 000002
【特許請求の範囲】
【請求項１】
塗布液が含浸され、柔軟性を持つ塗布体が、その一部を突出するように固定される有底函状のカートリッジ体と、
把持部と、把持部に接続される前記カートリッジ体が嵌着される嵌着枠を備えた塗布具本体とからなる毛髪用塗布具であって、
前記塗布具本体には、前記カートリッジ体を前記嵌着枠内に挟持固定する弾発挟持部と嵌着枠内に押さえ部とを備えたことを特徴とする毛髪用塗布具。
【請求項２】
前記カートリッジ体本体函体の少なくとも横方向の面にフランジ部が設けられ、
前記塗布具本体の嵌着枠内側に桟が設けられて、
前記カートリッジ体嵌着時には、前記フランジ部が前記桟へ当接し、前記カートリッジ体が固定されることを特徴とする請求項１に記載の毛髪用塗布具。
【請求項３】
前記フランジ部が、更に前記カートリッジ体側壁面の全周にわたって設けられていることを特徴とする請求項２に記載の毛髪用塗布具。
【請求項４】
前記嵌着枠と、前記把持部との間に、収納アーム枠で囲まれる箇所に、前記弾発挟持部材が設けられ、
前記カートリッジ体嵌着時には、
前記弾発挟持部材は、前記カートリッジ体を嵌着枠前方に押し当てて固定することを特徴とする請求項１に記載の毛髪用塗布具。
【請求項５】
前記嵌着枠前方には先端押さえ部が設けられ、
前記カートリッジ体嵌着時には、前記カートリッジ体前面の前記フランジ部が、前記先端押さえ部に嵌合することを特徴とする請求項３又は４に記載の毛髪用塗布具。
【請求項６】
前記先端押さえ部は、端面に傾斜面が形成されていることを特徴とする請求項５記載の毛髪用塗布具。
【請求項７】
前記カートリッジ体嵌着時には、前記嵌着枠下方に設けられた一連の櫛歯体が前記塗布体の更に下方へ伸び、かつ、前記一連の櫛体の櫛歯先端は一つの仮想面を共有することを特徴とする請求項６記載の毛髪用塗布具。
【発明の詳細な説明】
【技術分野】
【０００１】
本発明は、液体塗布具、特に染毛料、あるいは薬剤などを毛髪や毛皮などに塗布するとき、手指および頭皮を汚すことなく染毛料などを塗布することが出来る毛髪用塗布具に関するものである。
【背景技術】
【０００２】
従来、染毛料等の塗布体としては通常のブラシが用いられていた。即ち、使用前に染毛料などを容器内で混合するなどして使用可能にした後、通常のブラシによって塗布する方法である（例えば特許文献１）。【０００３】
これに対し、既に使用可能な状態になっている染毛料などを含浸させたスポンジなどの多孔質体に接触させておいた櫛体を備えた塗布具を引き抜くだけで、使用できる状態となっている毛染め塗布具が提案されている（特許文献２）。この機構によれば、極めて簡便に染毛料などを毛髪に塗布することが出来るものの、櫛体により毛髪を梳きながら染毛料などの塗布を行おうとすると、作業の初期で櫛体に付着した染毛料などを使い切ってしまい、長い部分に染毛料などを塗布するためには、何度も染毛料などを含浸させたスポンジ体などに接触させ、染毛料などを櫛体に付着させながら塗布を行う必要があり、非常に煩わしい。【０００４】
そして、既に使用可能な状態になっている染毛料などを含浸させたスポンジなどの多孔質体を櫛体などの根元に備え付けておく構造も提案されている（特許文献３、４）。これらの構造であると、櫛歯に毛細管力を持たせておけば多孔質体から櫛歯に染毛料などが供給されるため、櫛体で毛髪を梳きながら染毛料などの塗布が可能であるが、塗布具全体、あるいは多孔質体を密封するなどの処置を施さなければ、染毛料などに揮発性の物質が含まれていれば蒸発してしまい、自ずと染毛料などの組成に制限が加えられることとなる。また、染毛料などを含浸した多孔質体などを交換する場合、直接それに触らねばならず、特に道具を用意しない限りは手指を染毛料などで汚染することとなる。【０００５】
これらの問題に鑑み、筆記具等の構成を利用し、染毛料などを収納した貯留部を設け、塗布に供される染毛料などの必要量のみを、塗布部まで突き出た塗布体から染み出させるように構成された塗布具が提案されている（特許文献５）。ここでは、櫛体の突出を低くして塗布体周囲に配置しているので、容易に染毛料などを毛髪に塗布可能ではあるが、櫛体が短く低いため、結果として毛髪などを押し付けながら塗布を行わなければならず、塗布作業自体は非常に煩雑である。【０００６】
上記塗布具よりも優れた携帯の毛髪用塗布具が、本発明出願人により開発、実施されている（例えば特許文献６）。櫛体を多孔質体とし、かつ、密閉された染毛料などの貯留部を持つため、使い勝手が良く、保管性にも優れるため、大きな販売実績を誇っているが、構造が複雑であり、組み立て工程がやや複雑であるので、生産上、課題が残るものである。【０００７】
また、櫛体が並ぶブラシ状の容器内に、染毛料を浸み込ませカートリッジ化した多孔質の塗布体を設置した毛髪用塗布具も、本出願人により開発されている（特許文献７）。ここでは、より簡便に塗布体を交換することができるように構成されているものの、部品点数の多い、やや複雑な構成となっている。
さらに前述の毛髪用塗布具を改良し、塗布体カートリッジの交換を比較的容易にした毛髪用塗布具が開示されている（特許文献８）が、カートリッジの交換に際し、レバーの動作が必要であるため交換動作に無駄が生じることと部品点数が増えることによりコストが上昇する懸念がある。【０００８】
上記従来技術と併行して、染毛料などが貯留された密閉容器を持ち、気体の圧力などにより染毛料を押圧して、強制的に櫛体などに設けた吐出口から大量の液体を塗布できるようにした塗布具も実施されている（例えば特許文献９）。これらの製品は使用者にとっては、大量の液を万遍なく塗布できる感覚を得られるものであるが、一気に大量の染毛料などが吐出するため、手指を汚染するおそれがある等の欠点があり、ガスを封入しなければならないなど、製造上においても難がある。
【先行技術文献】
【特許文献】
【０００９】
【特許文献１】特開平１０−７１０２０号公報
【特許文献２】特開平７−３０３５１４号公報
【特許文献３】特開２００１−１９０３３５号公報
【特許文献４】特開２００４−３５７７４０号公報
【特許文献５】特開平１１−１６９２２４号公報
【特許文献６】特開２００５−３４２３１２号公報
【特許文献７】特開２００８−５４８７７号公報
【特許文献８】特開２００８−２５３４２４号公報
【特許文献９】特開２００６−６８１１４号公報
【発明の概要】
【発明が解決しようとする課題】
【００１０】
本発明は上記した問題点を考慮し、簡単な構成にも関らず、少ない回数で、大量の染毛料などを、大きな面積により塗布することが出来、被塗布部以外の手指などを汚染しにくく、簡単な構成の毛髪用塗布具を提供することを目的とする。更には、染毛料などを含浸した塗布部を容易に交換可能で、その際にも、手指などを汚染しない塗布具の構造体および交換用カートリッジを提示することを目的とする。
【課題を解決するための手段】
【００１１】
本発明は上記課題を解決するため、毛髪用塗布具として、（１）塗布液が含浸され、柔軟性を持つ塗布体が、その一部を突出するように固定される有底函状のカートリッジ体と、把持部と、把持部に接続される前記カートリッジ体が嵌着される嵌着枠を備えた塗布具本体とからなる毛髪用塗布具であって、前記塗布具本体には、前記カートリッジ体を前記嵌着枠内に挟持固定する弾発挟持部と嵌着枠内に押さえ部とを備えた毛髪用塗布具である。【００１２】
この塗布具では、前記弾発挟持部材による一回のアクションで簡便に塗布体が固定されたカートリッジを、塗布具に対して容易な着脱が可能である。【００１３】
次は、（２）前記カートリッジ体本体函体の少なくとも横方向の面にフランジ部が設けられ、前記液体塗布具本体の嵌着枠内側に桟が設けられて、前記カートリッジ体嵌着時には、前記フランジ部が前記桟へ当接し、前記カートリッジ体が固定されることを特徴とする（１）に記載の毛髪用塗布具である。【００１４】
この塗布具では、カートリッジ体の横（前後左右）方向に、フランジを展延させているため、前記弾発挟持部材と嵌着枠によって、より容易に挟持できるようになっている。【００１５】
さらには、（３）前記フランジ部が、更に前記カートリッジ体側壁面の全周にわたって設けられていることを特徴とする（２）に記載の液体塗布具である。【００１６】
この塗布具では、カートリッジ体を嵌着枠へ固定しやすい構成となっているため、使用時において、より確実なカートリッジ体の固定ができやすいようになっている。【００１７】
また、（４）前記嵌着枠と、前記把持部との間に、収納アーム枠で囲まれる箇所に、前記弾発挟持部材が設けられ、前記カートリッジ体嵌着時には、前記弾発挟持部材は、前記カートリッジ体を嵌着枠前方に押し当てて固定することを特徴とする（１）に記載の毛髪用塗布具である。【００１８】
ここでは、弾発挟持部材が収納アーム枠で囲まれており、カートリッジ体を固定する作用を為す最重要の弾発挟持部材が意図しない損傷から保護される。【００１９】
また、（５）前記嵌着枠前方には先端押さえ部が設けられ、前記カートリッジ体嵌着時には、前記カートリッジ体前面の前記フランジ部が、前記先端押さえ部に嵌合することを特徴とする（３）又は（４）に記載の毛髪用塗布具である。【００２０】
ここでは、弾発挟持部材によって前方へ押し当てられたカートリッジ体が、先端押さえ部で、さらに確実に固定される。【００２１】
また、（６）前記先端押さえ部は、端面に傾斜面が形成されていることを特徴とする（５）に記載の毛髪用塗布具である。【００２２】
これにより、塗布具本体とカートリッジ本体の取付け、取外しを同じ方向にすることができる。【００２３】
また、（７）前記カートリッジ体嵌着時には、前記嵌着枠下方に設けられた一連の櫛歯体が前記塗布体の更に下方へ伸び、かつ、前記一連の櫛体の櫛歯先端は一つの仮想面を共有することを特徴とする（６）に記載の毛髪用塗布具である。【００２４】
ここでは、櫛歯体が桟の下方にあり、桟はカートリッジ体のフランジに当接しているので、使用時（塗布時）に使用者が強く球面状の被塗布部（頭）に本発明の塗布具を強く押し付けると、櫛歯体および桟が撓み、塗布部を中心に被塗布部の形状に合わせた形での、塗布が可能となるものである。【００２５】
塗布体を多孔質体とすることによって、安定して染毛料などの液体を保持できる。
【発明の効果】
【００２６】
本発明は上記のように構成されているので、次の効果を奏する。【００２７】
染毛料などを含浸させた多孔質体などからなる、柔軟な塗布体の一部を突出させて固定したカートリッジ体を、塗布具本体の把持部と接続する嵌着枠に嵌着し、弾発挟持部材によって固定され、全体の見た目がブラシのような塗布具が構成される。嵌着枠下方に並んだ一連の櫛歯体は、前記の塗布体よりも更に下方へ突出している。櫛歯と塗布体が近接している構成であるので、櫛歯によって梳かれた毛髪が塗布体に触れやすく、染毛料などの均一な塗布を行いやすい。また、部品点数が少ないため、一般の使用者に構造を容易に理解でき、カートリッジ体の着脱を容易に行うことができる。【００２８】
塗布体は柔軟性を持つものと規定したが、具体的に柔軟性を持つとは、ＪＩＳ  Ｋ６２５３タイプＡデュロメータの測定値が６０以下であることを言い、好ましくは２０以上５０以下であることを言う。６０を超える値であると、毛髪などが当たった時に変形が起こらず毛髪などとの接触が点でのみ行われる可能性が大きい。特に確認したわけではないが、あまりに柔軟すぎれば、少しの衝撃で塗布体が変形し、含浸した液体が零れ落ちてしまうことは容易に想像できる。
【図面の簡単な説明】
【００２９】
【図１】（ａ）及び（ｂ）は本発明に係る毛髪用塗布具の第１の実施例についての前方上方向からの斜視図及び前方下方向からの斜視図である。
【図２】図１の毛髪用塗布具のカートリッジ体を装着する直前の前方向からの斜視図である。
【図３】（ａ）〜（ｄ）は図１の毛髪用塗布具の毛髪用塗布具本体の縦断面図を含む３面図である。
【図４】（ａ）〜（ｃ）は図１の毛髪用塗布具の、側面から見たカートリッジ体装着時の手順を示す図である。
【図５】（ａ）〜（ｃ）は図１の毛髪用塗布具の、側面から見たカートリッジ体を外す時の手順を示す図である。
【図６】（ａ）〜（ｄ）は本発明に係る毛髪用塗布具の第２の実施例において、毛髪用塗布具本体の縦断面図を含む３面図である。
【図７】（ａ）及び（ｂ）は図６の毛髪用塗布具本体の後方斜視図及び前方斜視図である。
【図８】（ａ）〜（ｃ）は図６に示す毛髪用塗布具の第２の実施例における、側面から見たカートリッジ体装着時の手順を示す図である。
【図９】本発明に係る毛髪用塗布具の第３の実施例の前方上方向からの斜視図である。
【発明を実施するための形態】
【００３０】
次に、本発明の実施形態について、図面を参照して説明する。
【００３１】
本出願では、塗布具の櫛体先端の方向を「下方」とし、塗布具の基部、即ち塗布体と塗布具本体が固定されている部分の方向を「上方」としている。また、塗布具本体と把持部が接続する部分の方向を「後方」とし、逆の方向を「前方」としている。
【００３２】
本発明の実施形態を実施例によって、図面を参照して説明する。
【００３３】
第１の実施例に係る毛髪用塗布具を組み上げたときの外観を図１（ａ）および（ｂ）に示す。これらの図に示す通り、本体１の後方に把持部１１が備わっている。また本体１の前方には、カートリッジ体２を嵌着する嵌着枠１２が設けられている。嵌着枠１２は、その後方に弾発挟持部材１４を囲む収納アーム枠１３で囲まれている。また、嵌着枠１２の下方には一連の櫛歯体１６、１６…が設けられており、その先端は一連の仮想面を共有している。嵌着枠１２に嵌着されたカートリッジ体２は、下方に開口する函体２１および前記開口から突出する塗布体３とから構成される。前記塗布体３の突出した部分３１は前記した櫛歯体１６、１６…に囲まれる形となっている。
【００３４】
前記の組み上げた実施例に対し、カートリッジ体２を嵌着させる前の様子を示したものが図２である。本体１は、大まかに、後方には把持部１１の部分、前方には嵌着枠１２の部分となっている。ここで把持部１１は、板状の構造を採っているが、棒状であってもよく、中を刳り抜いた環状の構造体としても、重量を軽減しても良い。嵌着枠１２の後方は開放されており、嵌着枠１２前方内側には、前記カートリッジ体２の前端を係止するための断面視逆Ｌ字状の先端押さえ部１７が備わっている。把持部１１と嵌着枠１２は、互いに前後に位置しかつ把持部１１が嵌着枠１２よりも上方向に位置しており、それらは嵌着枠１２の幅方向両側から上方向かつ弧状に延した形状の収納アーム枠１３によって連続されている。この収納アーム枠１３の内側に、把持部１１前方から弁状に延びる弾発挟持部材１４が納められている構造となっている。
【００３５】
ここではフランジ部２２が設けられたカートリッジ体２が嵌着枠１２内側に設けられた桟１５（該嵌着枠１２の幅方向内側に板状に延在する）の上面に当接するように構成されている。さらにここでは、このフランジ部２２の前方の部分は、嵌着枠１２の前方に設けた先端押さえ部１７の開放した下面に嵌まり込んで該先端押え部１７噛み合わさることとなる。カートリッジ体２全体は弾発挟持部１４によって前方へ押し当てられるので、このフランジ部２２の前方の部分は、先端押さえ部１７と、しっかりと噛み合わされることとなる。
【００３６】
ところで、カートリッジ体２内の塗布体３は、露出した状態で表わされているが、使用していない状態では、開口部を覆う蓋体を設けることができる。また、前記カートリッジ本体函体２１と前記の蓋体との接合部をさらに密封するための密封部材を設けてもよいものである。
【００３７】
前記した密封部材は、前記函体２１および前記の蓋体で囲まれた空間を密封することができるものであれば制限なく用いることができる。使用者は、使用を開始する際に、簡単に密封部材を除いて使用開始することができるものであることが好ましく、粘着層を設けたシート状のものであれば更に好ましい。これ以外には、密封部材を押し当てた上からヒートシール処理を施すなどの処置を行えば、このような「シール部材」は必ずしも設ける必要はない。
【００３８】
塗布体３は柔軟性を持ち、毛細管力を持つ主に多孔質体からなる材料から構成される。具体的な多孔質体としては、様々な材質の繊維束体あるいは連続気泡体などが考えられるが、含浸する塗布液や函体２１などの材質に鑑み、適宜選択していくことができる。
【００３９】
塗布体３は、柔軟性を持つ材料から構成され、変形可能であるので、特に図示しなかったが、様々な形状を採ることが可能である。例えば、最初から図１あるいは図２に示す形状としても良いし、最初に円柱状の素材を用意し、変形させながら函体２１に押し込むこともできる。さらに、塗布体絞り部を装着することによって変形させることもできる。
【００４０】
ところで塗布体３は、函体２１に収容したとき、毛細管力を高く設定すれば、函体２１内に含浸した塗布液（染毛料など）が引かれやすくなり、消費された分の塗布液が移動しやすくなる。
【００４１】
この図１または図２に示す突出部３１の場合は、形状を櫛歯状に近いものとしており、塗布作業を行いやすい形態を採用している。
【００４２】
嵌着枠１２は、略矩形の環状体の周縁部内側に、桟１５が設けられている。桟１５は、嵌着枠１２の内側左右に張り出している。桟１５の下側には一連の櫛歯体１６、１６…が設けられている。これらの櫛歯体１６、１６…の先端は、仮想面を共有している。この仮想面は、通常平面であるが、本発明の塗布具を頭髪に対するものであるとする場合、塗布具のはるか上方に中心を持つ円柱の側面や球面であってもよい。特に、適当な球面を選択すれば使用者の頭部形状に近似することとなり、好ましい。しかしながら、例え仮想面が平面であったとしても、実用上何ら問題なく使用できる。
【００４３】
また、櫛歯体１６は桟１５の下側の面上に設けられているので、使用者が球面状の被塗布面（頭）に強く押し付けると、塗布体を中心に撓むことが出来、毛髪が塗布体の突出部３１に接触し易くなり、染毛料などを塗布しやすい。
【００４４】
塗布具本体の縦断面を含む様子を図３（ａ）〜（ｄ）に示す。
【００４５】
図３（ａ）は上方から見た塗布具本体１である。図３（ｂ）は左側面から見た塗布具本体１である。図３（ｃ）は塗布具本体１の縦断面図である。図３（ｄ）は前方から見た塗布具本体１である。図３（ｃ）に示す通り、ここでは成形を簡単にすることを優先するために、桟１５は嵌着枠１２の先端までは設けられていない。カートリッジ体２は、その前方のフランジ２２を先端押さえ部１７が上方から、側面のフランジ２２を桟１５が下方から、後方から弾発挟持部１４が前方への弾発力により押さえ込むことで、塗布具本体に固定される。
【００４６】
以下に、前記実施例の塗布具についてカートリッジの開封後、塗布体を構成し、抜き取る方法について図面を参照しながら説明する。
【００４７】
開封したカートリッジ体２を、図４（ａ）〜（ｃ）に示すように、（ａ）まずカートリッジ体前方のフランジ２２を塗布具本体１の先端押さえ部１７に嵌め入れ、（ｂ）カートリッジ体２の後方を徐々に下方へ押圧し、弾発挟持部１４の反発力に抵抗しながら挿入し、（ｃ）嵌着させることができる。
【００４８】
カートリッジ体２を塗布具本体１から抜き取るには、図５（ａ）〜（ｃ）に示すように、（ａ）装着した状態から、（ｂ）カートリッジ体２を後方に押し戻し、カートリッジ体前方のフランジ２２を先端押さえ部１７から外れる位置まで摺動させる。（ｃ）そしてカートリッジ体２前方を、弾発挟持部１４と当接している箇所を軸に上方に持ち上げると、カートリッジ体２を塗布具本体１から、容易に取り外すことが可能となる。
【００４９】
図６（ａ）〜（ｄ）と図７（ａ）及び（ｂ）は、第２の実施例における塗布具本体の縦断面を含む様子である。図６（ａ）はその塗布具本体１の平面図である。図６（ｂ）は左側面から見た塗布具本体１である。図６（ｃ）は塗布具本体１の縦断面図である。図６（ｄ）は前方から見た塗布具本体１である。図７（ａ）は塗布具本体１の左側後方からみた斜視説明図、図７（ｂ）は塗布具本体１の左側前方から見た斜視説明図である。
【００５０】
前述までの第１の実施例と異なる点は、先端押さえ部１７に先端傾斜部１８を形成したことである。先端傾斜部１８は、上方から下方の後方側に向かう傾斜面である。フランジ２２が先端傾斜部１８に当接してカートリッジ体２を下方へ押圧しても引っかからずに先端傾斜面１８上を滑って行き（この際、弾発挟持部１４の弾発力に抗する力でカートリッジ体２を押圧する）、その押圧を続けることにより、フランジ２２を下方に送って先端傾斜面１８の下方かつ桟１５上面との間に位置させて、フランジ２２が先端押さえ部１７と嵌着する役割を持つ。
【００５１】
図８は、第２の実施例におけるカートリッジ体２の開封後、塗布体を構成し、塗布体を塗布具本体に装着する方法について示した図である。図８（ａ）〜（ｃ）に示すように、開封したカートリッジ体２を、（ａ）カートリッジ体後方のフランジ２２を塗布具本体１の弾発挟持部１４と桟１５の隙間に嵌め入れ、（ｂ）に示すように、カートリッジ体２の前方を徐々に下方へ押圧し、フランジ２２を先端傾斜部１８に滑らすことによって弾発挟持部１４の反発力に抵抗しながら挿入し、（ｃ）に示すように、嵌着させることができる。
【００５２】
一方、カートリッジ体２を塗布具本体１から抜き取るには、カートリッジ体２を後方に押し下げ、先端押さえ部１７と嵌着しているフランジ２２を解除した後、図８（ｃ）、（ｂ）、（ａ）の順で抜き取ることができる。取付け取外しにおけるカートリッジ体２の方向が同じであるため、第１の実施例と比較し誤操作を防止することができる。
【００５３】
図９は、本発明に係る毛髪用塗布具における第３の実施例を組み上げたときの外観を示す。図２の第１の実施例と比較して、カートリッジ体２の突出部３１の形状が異なっているが、塗布体の突出部の形状については、特に限定は無い。
【産業上の利用可能性】
【００５４】
本発明の毛髪用塗布具および交換用カートリッジ体は、塗布具本体に設けた一連の櫛体によって毛髪（人間、その他のペット動物等を含む毛髪）を梳きながら塗布体に含浸した染毛料などを塗布する際に、塗布液などが直接頭皮などに触れず、塗布性が十分に確保でき、かつ、比較的大量の塗布液を大量の毛髪に塗布することができ、さらには、塗布体の交換について、交換用カートリッジの着脱が容易であるので、産業上の利用可能性の高いものである。
【符号の説明】
【００５５】
１  塗布具本体
１１  把持部
１２  嵌着枠
１３  収納アーム枠
１４  弾発挟持部
１５  桟
１６  櫛歯体
１７  先端押さえ部
１８  先端傾斜部
２  カートリッジ体
２１  カートリッジ体本体函体
２２  フランジ
３  塗布体
３１  塗布体突出部
【図１】
2009148106.tif 000003
【図２】
2009148106.tif 000004
【図３】
2009148106.tif 000005
【図４】
2009148106.tif 000006
【図５】
2009148106.tif 000007
【図６】
2009148106.tif 000008
【図７】
2009148106.tif 000009
【図８】
2009148106.tif 000010
【図９】
2009148106.tif 000011
【手続補正書】
【提出日】平成22年4月5日(2010.4.5)
【手続補正１】
【補正対象書類名】特許請求の範囲
【補正対象項目名】全文
【補正方法】変更
【補正の内容】
【特許請求の範囲】
【請求項１】
塗布液が含浸され、柔軟性を持つ塗布体が、その一部を突出するように固定される有底函状のカートリッジ体と、
把持部と、把持部に接続される前記カートリッジ体が嵌着される嵌着枠を備えた塗布具本体とからなる毛髪用塗布具であって、
前記塗布具本体には、前記カートリッジ体を前記嵌着枠内に挟持固定する弾発挟持部と嵌着枠内に押さえ部とを備え、前記カートリッジ体本体函体の少なくとも横方向の面にフランジ部が設けられ、
前記塗布具本体の嵌着枠内側に桟が設けられて、
前記カートリッジ体嵌着時には、前記フランジ部が前記桟へ当接し、前記カートリッジ体が固定されることを特徴とする毛髪用塗布具。
【請求項２】
（削除）
【請求項３】
前記フランジ部が、更に前記カートリッジ体側壁面の全周にわたって設けられていることを特徴とする請求項１に記載の毛髪用塗布具。
【請求項４】
塗布液が含浸され、柔軟性を持つ塗布体が、その一部を突出するように固定される有底函状のカートリッジ体と、
把持部と、把持部に接続される前記カートリッジ体が嵌着される嵌着枠を備えた塗布具本体とからなる毛髪用塗布具であって、
前記塗布具本体には、前記カートリッジ体を前記嵌着枠内に挟持固定する弾発挟持部と嵌着枠内に押さえ部とを備え、
前記嵌着枠と、前記把持部との間に、収納アーム枠で囲まれる箇所に、前記弾発挟持部材が設けられ、
前記カートリッジ体嵌着時には、
前記弾発挟持部材は、前記カートリッジ体を嵌着枠前方に押し当てて固定することを特徴とする毛髪用塗布具。
【請求項５】
前記嵌着枠前方には先端押さえ部が設けられ、
前記カートリッジ体嵌着時には、前記カートリッジ体前面のフランジ部が、前記先端押さえ部に嵌合することを特徴とする請求項３又は４に記載の毛髪用塗布具。
【請求項６】
前記先端押さえ部は、端面に傾斜面が形成されていることを特徴とする請求項５記載の毛髪用塗布具。
【請求項７】
前記カートリッジ体嵌着時には、前記嵌着枠下方に設けられた一連の櫛歯体が前記塗布体の更に下方へ伸び、かつ、前記一連の櫛体の櫛歯先端は一つの仮想面を共有することを特徴とする請求項６記載の毛髪用塗布具。
【国際調査報告】
2009148106.tif 000012
2009148106.tif 000013
2009148106.tif 000014
2009148106.tif 000015